(57)【要約】【課題】より使いやすい通信装置を提供することを目的とする。【解決手段】通信機能と、放送信号を受信する放送信信号受信機能とを有する通信装置であって、放送信号を受信する放送受信手段５１と、放送受信手段が受信した放送内容を記憶する記憶手段５８と、記憶手段５８を制御するメモリ制御手段５９と、当該通信装置への着信を検出する着信検出手段５２と、放送受信手段５１が受信した放送の記憶を制御する放送内容記憶制御手段５５とを有し、放送内容記憶制御手段５５は、放送受信手段５１が放送を受信しているときに、着信検出手段５２が着信を検出した場合、メモリ制御手段５９を制御して、放送受信手段５１が受信している放送を記憶するように制御する。【選択図】図８
2007116524.tif 000002
【特許請求の範囲】
【請求項１】
通信機能と、放送信号を受信する放送信信号受信機能とを有する通信装置において、
放送信号を受信する放送受信手段と、
前記放送受信手段が受信した放送内容を記憶する記憶手段と、
該記憶手段を制御するメモリ制御手段と、
当該通信装置への着信を検出する着信検出手段と、
前記放送受信手段が受信した放送に係る記憶を制御する放送内容記憶制御手段とを有し、
前記放送内容記憶制御手段は、前記放送受信手段が放送を受信しているときに、前記着信検出手段が着信を検出した場合、前記メモリ制御手段を制御して、前記放送受信手段が受信している放送を記憶するように制御することを特徴とする通信装置。
【請求項２】
通信機能と、放送信号を受信する放送信信号受信機能とを有する通信装置において、
放送信号を受信する放送受信手段と、
前記放送受信手段が受信した放送を記憶する記憶手段と、
該記憶手段を制御するメモリ制御手段と、
前記放送受信手段が受信した放送に係る記憶を制御する放送内容記憶制御手段と、
前記放送信号の受信を中断すべき状態を検出して、前記放送内容記憶制御手段に中断信号を出力する中断検出手段とを有し、
前記放送内容記憶制御手段は、前記放送受信手段が放送を受信しているときに、前記中断検出手段が中断信号を出力した場合、前記メモリ制御手段を制御して、前記放受信手段が受信している放送を記憶するように制御することを特徴とする通信装置。
【請求項３】
前記放送受信手段が放送を受信しているときに、前記着信検出手段が当該通信装置への着信を検出した場合、受信している放送を記憶するか否かを示すメッセージを表示する記憶可否メッセージ表示手段を備えた請求項１又は２に記載の通信装置。
【請求項４】
前記放送受信手段が放送を受信しているときに、前記中断検出手段が中断信号を出力した場合、受信している放送を記憶するか否かを示すメッセージを表示する記憶可否メッセージ表示手段を備えたことを特徴とする請求項１ないし３いずれか一項に記載の通信装置。
【請求項５】
前記記憶手段が受信した放送内容を記憶した後に、記憶した放送内容を保存するか否かを示すメッセージを表示する消去可否メッセージ表示手段を備えたことを特徴とする請求項１ないし４いずれか一項に記載の通信装置。
【請求項６】
前記放送受信手段が、テレビジョン放送又はラジオ放送を受信する受信手段であることを特徴とする請求項１ないし５いずれか一項に記載の通信装置。
【請求項７】
通信機能と、放送信号を受信する放送信信号受信機能とを有する通信装置における放送内容記憶方法において、  
放送信号を受信する放送受信手順と、
前記放送受信手順により受信した放送内容を記憶手段に記憶する記憶手順と、
前記記憶手段を制御するメモリ制御手順と、
当該通信装置への着信を検出する着信検出手順と、
前記放送受信手順により受信した放送に係る記憶を制御する放送内容記憶制御手順とを有し、
前記放送内容記憶制御手順は、前記放送受信手順により放送信号を受信しているときに、前記着信検出手順により着信を検出した場合、前記放送受信手順により受信した放送内容を、前記記憶手段に記憶するように制御することを特徴とする通信装置における放送内容記憶方法。
【請求項８】
通信機能と、放送信号を受信する放送信信号受信機能とを有する通信装置における放送内容記憶方法において、  
放送信号を受信する放送受信手順と、
前記放送受信手順により受信した放送内容を記憶手段に記憶する記憶手順と、
前記記憶手段を制御するメモリ制御手順と、
前記放送信号の受信を中断すべき状態を検出して、中断信号を出力する中断検出手順と、
前記放送受信手順により受信した放送に係る記憶を制御する放送内容記憶制御手順とを有し、
前記放送内容記憶制御手順は、前記放送受信手順により放送信号を受信しているときに、前記中断検出手順により中断信号が出力された場合、前記放送受信手順により受信した放送内容を、前記記憶手段に記憶するように制御することを特徴とする通信装置における放送内容記憶方法。
【請求項９】
前記放送受信手順は、テレビジョン放送又はラジオ放送を受信する手順であることを特徴とする請求項７又は８に記載の通信装置における放送内容記憶方法。
【発明の詳細な説明】
【技術分野】
【０００１】
通信機能と放送信号を受信する放送信信号受信機能とを有する通信装置及び該通信装置における放送内容記憶方法に関する。
【背景技術】
【０００２】
最近の電子機器、特に、小型の電子機器、例えば、携帯電話機においては、その機能向上には目覚しいものがあり、便利な機能が搭載されている（特許文献１参照。）。
【特許文献１】特開２００５−１９２１５１号公報
【発明の開示】
【発明が解決しようとする課題】
【０００３】
しかしながら、携帯電話が携帯小型化を目指しているために、ＣＰＵ（中央処理装置；Central Processing Unit）の性能又は外部拡張性を犠牲にしているため、追加された機能を十分に生かしきっていないという問題や、又はその制限された制約によりある機能を搭載することができないという問題がある。
【０００４】
特に、携帯電話にある機能を搭載した場合に、携帯電話の固有の事情により、その搭載した機能が使用しづらい場合や、その機能を使用するのに、ある不具合が生じるという問題ある。例えば、携帯電話にＴＶ受信機能を搭載した場合、ＴＶ（テレビジョン）を視聴している時に電話がかかってきた場合に電話に出ると、通話している時はその番組を見ることができないという、ＴＶ受信機能付き携帯電話に固有の不具合が生じる。
【０００５】
本発明は、上述した問題に鑑みなされたものであり、より使いやすい通信装置及び該通信装置における放送内容記憶方法を提供することを目的とするものである。
【課題を解決するための手段】
【０００６】
上記目的を達成するために、本発明の通信機能と、放送信号を受信する放送信信号受信機能とを有する通信装置は、
放送信号を受信する放送受信手段と、
前記放送受信手段が受信した放送内容を記憶する記憶手段と、
該記憶手段を制御するメモリ制御手段と、
当該通信装置への着信を検出する着信検出手段と、
前記放送受信手段が受信した放送に係る記憶を制御する放送内容記憶制御手段とを有し、
前記放送内容記憶制御手段は、前記放送受信手段が放送を受信しているときに、前記着信検出手段が着信を検出した場合、前記メモリ制御手段を制御して、前記放送受信手段が受信している放送を記憶するように構成することができる。
【０００７】
これにより、本発明の通信装置は、視聴を中断せざるを得ない放送を記憶することにより、見逃した放送を後で再生することにより見ることができる。
【０００８】
また、上記目的を達成するために、本発明の通信機能と、放送信号を受信する放送信信号受信機能とを有する通信装置は、
放送信号を受信する放送受信手段と、
前記放送受信手段が受信した放送を記憶する記憶手段と、
該記憶手段を制御するメモリ制御手段と、
前記放送受信手段が受信した放送に係る記憶を制御する放送内容記憶制御手段と、
前記放送信号の受信を中断すべき状態を検出して、前記放送内容記憶制御手段に中断信号を出力する中断検出手段とを有し、
前記放送内容記憶制御手段は、前記放送受信手段が放送を受信しているときに、前記中断検出手段が中断信号を出力した場合、前記メモリ制御手段を制御して、前記放受信手段が受信している放送を記憶するように構成することができる。
【０００９】
これにより、本発明の通信装置は、視聴を中断せざるを得ない放送を記憶することにより、見逃した放送を後で再生することにより見ることができる。
【００１０】
また、上記目的を達成するために、本発明の通信装置は、前記放送受信手段が放送を受信しているときに、前記着信検出手段が当該通信装置への着信を検出した場合、受信している放送を記憶するか否かを示すメッセージを表示する記憶可否メッセージ表示手段を備えるように構成することができる。
【００１１】
これにより、本発明の通信装置は、放送を記憶する前にメッセージ表示しているので、記憶する必要のない放送を記憶しないようにユーザが選択できる。
【００１２】
また、上記目的を達成するために、本発明の通信装置は、前記放送受信手段が放送を受信しているときに、前記中断検出手段が中断信号を出力した場合、受信している放送を記憶するか否かを示すメッセージを表示する記憶可否メッセージ表示手段を備えるように構成することができる。
【００１３】
これにより、本発明の通信装置は、放送を記憶する前にメッセージ表示しているので、記憶する必要のない放送を記憶しないようにユーザが選択できる。
【００１４】
また、上記目的を達成するために、本発明の通信装置は、前記記憶手段が受信した放送内容を記憶した後に、記憶した放送内容を保存するか否かを示すメッセージを表示する消去可否メッセージ表示手段を備えるように構成することができる。
【００１５】
これにより、本発明の通信装置は、記憶した放送を保存する前にメッセージ表示しているので、保存する必要のない放送を保存しないようにユーザが選択できる。
【００１６】
また、上記目的を達成するために、本発明の通信装置の前記放送受信手段が、テレビジョン放送又はラジオ放送を受信する受信手段であるように構成することができる。
【００１７】
また、上記目的を達成するために、本発明の通信機能と、放送信号を受信する放送信信号受信機能とを有する通信装置における放送内容記憶方法は、  
放送信号を受信する放送受信手順と、
前記放送受信手順により受信した放送内容を記憶手段に記憶する記憶手順と、
前記記憶手段を制御するメモリ制御手順と、
当該通信装置への着信を検出する着信検出手順と、
前記放送受信手順により受信した放送に係る記憶を制御する放送内容記憶制御手順とを有し、
前記放送内容記憶制御手順は、前記放送受信手順により放送信号を受信しているときに、前記着信検出手順により着信を検出した場合、前記放送受信手順により受信した放送内容を、前記記憶手段に記憶するように制御するように構成することができる。
【００１８】
また、上記目的を達成するために、本発明の通信機能と、放送信号を受信する放送信信号受信機能とを有する通信装置における放送内容記憶方法は、  
放送信号を受信する放送受信手順と、
前記放送受信手順により受信した放送内容を記憶手段に記憶する記憶手順と、
前記記憶手段を制御するメモリ制御手順と、
前記放送信号の受信を中断すべき状態を検出して、中断信号を出力する中断検出手順と、
前記放送受信手順により受信した放送に係る記憶を制御する放送内容記憶制御手順とを有し、
前記放送内容記憶制御手順は、前記放送受信手順により放送信号を受信しているときに、前記中断検出手順により中断信号が出力された場合、前記放送受信手順により受信した放送内容を、前記記憶手段に記憶するように制御するように構成することができる。
【００１９】
また、上記目的を達成するために、本発明の放送内容記憶方法の前記放送受信手順は、テレビジョン放送又はラジオ放送を受信する手順であるように構成することができる。
【発明の効果】
【００２０】
より使いやすい通信装置及び該通信装置における放送内容記憶方法を提供することができる。
【発明を実施するための最良の形態】
【００２１】
（ＴＶ受信機付き携帯電話装置のブロック図）
図１は、本発明の一実施例であるＴＶ受信機付き携帯電話装置のブロック図である。
ＣＰＵ１１は装置全体を制御するものであり、その実行プログラムはＲＯＭ（リード・オンリー・メモリ）１２に記憶され、ＣＰＵ１１はその実行プログラムをＲＯＭ１２から読み出し、その実行プログラムに含まれる命令を逐次解釈して装置全体の制御を行うものである。ＲＡＭ（ランダム・アクセス・メモリ）１３はその制御に必要なワークエリアが形成されるともに、保存パラメータやそのほか制御に必要ないろいろなパラメータや管理情報等を記憶するものである。ＲＡＭ１３に音声情報及びメール情報を記憶することができる。なお、ＲＡＭ１３に音声情報及びメール情報を記憶する代わりに、音声情報及び／又はメール情報を記憶する専用のＲＡＭを設けてもよい。操作入力・表示部１４は各種の操作キーと操作ガイダンス等を表示する表示器からなり、オペレータが装置を操作するためのものである。
【００２２】
通話部１５は、音声を出力するスピーカ１５３や音声を入力するマイク１５２や通話回路１５１から構成される。スピーカ１５３は、イヤホンであってもよい。通話回路１５１は、マイク１５２から入力されたアナログの音声信号をデジタル化として、通信手段１６に送出し、無線通信手段１６から入力されたデジタル音声信号をアナログに変換してスピーカ等に出力するものである。また、音声信号を増幅したり又は減衰することにより音量を調整したり、音声信号の周波数特性を変化させることにより音質を良くしたりする回路も含まれている。また、マイク１５２からスピーカ１５３への音の回り込みを制御するいわゆる側音制御もこの通話回路１５１で行う。
【００２３】
無線通信手段１６は通信網側との間で、音声信号とデータ信号を送受信する。携帯電話の場合は基地局との間で無線を使用して通信を行うが、有線で交換局と通信してもよい。
撮影手段（カメラ手段）１８は撮影対象物を画像データに変換するものであり、具体的には撮像素子であるＣＣＤ（CharＧe Coupled DevＩＣe）等が使用される。ＣＣＤは撮影対象物からの光信号を受光し、それをアナログの電気信号に変換して出力するものである。画像処理回路１９はＣＣＤが出力するアナログ電気信号を受信し、それをＡ／Ｄ変換することによりデジタル画像信号を得る。さらに、そのデジタル画像信号に対して画像処理（密度変換、フィルタリング、最適化処理、拡大縮小、圧縮伸張等）を行う。画像処理された画像データは画像（フレーム）メモリ２０に記憶される。画像表示手段２１は画像処理回路１９によって画像処理された画像データを液晶画面等（プラズマディスプレイ、ＣＲＴ（Cathode-ray Tube）等）の画像表示手段で表示するものである。ＴＶ受信手段２２はＴＶ用アンテナ、検波部、チューナ部等から構成されるもので、ＴＶ放送用電波を受信し、ＴＶ画像信号を出力する。ＴＶ画像信号は画像処理回路１９に入力され、所定の画像処理を行った後、画像（フレーム）メモリ２０に蓄積され、その画像（フレーム）メモリ２０に蓄積された画像データは画像表示手段２１に出力され、ＴＶ画像が表示される。また、画像（フレーム）メモリ２０に蓄積された画像データはＴＶ画像録画手段２３で記憶媒体に保存することにより、ＴＶ画像を撮影手段１８で取得した画情報と同様に取り扱うことができる。なお、画像表示手段２１で表示する代わりに、操作入力・表示部１４で表示するようにしてもよい。なお、ＴＶ画像録画手段２３として、本体に内蔵した画像用メモリ、本体に内蔵したハードディスク、外付けのＩＣカードメモリ、外付けのハードディスク等が用いられる。
【００２４】
外部Ｉ／Ｆ手段２４は、ケーブルなどの有線を使用してＰＣ（パーソナルコンピュータ）等の外部機器に接続して、データ等の送受信を行うものである。具体的には、装置専用のＩ／ＦやＵＳＢ（Universal Serial Bus）等の汎用のＩ／Ｆがある。メモリカードＩ／Ｆ手段２５は、ＩＣカード、メモリカード、メモリユニット等、記憶媒体を搭載した装置と接続して、データの送受信を行うものである。ＧＰＳ(全地球測位システム)手段２６は、一般には、人工衛星からの電波を受信し、その到達時間のずれを検出し、最終的に通信装置が位置する緯度と経度などの地球上の位置情報を算出するものである。ＩＣタグ手段２７はリーダライタ装置と無線でデータの送受信を行うものである。ＩＣタグ手段２７は、電波信号を送受信するためのアンテナ用コイル、共振コンデンサ、変復調回路、整流平滑回路からなる無線通信手段とＩＣタグに内蔵されたＣＰＵ、ＲＯＭ、ＲＡＭから構成される。ＩＣタグ手段２７は、リーダライタ手段２８から送信されてくる高周波の電力用電波信号をアンテナと共振用コンデンサで受信し、整流平滑回路で整流平滑化して、一定電圧の動作用電源を作成してＩＣタグ内部に供給する。また、リーダライタ手段２８から送信されてくる信号は、電力用電波信号に重畳されており、受信した信号は変復調回路によって復調される。ＩＣタグ手段２７のＣＰＵはＩＣタグ手段２７のＲＯＭに記憶されたプログラムによって動作するものであり、ＩＣタグ手段２７のＲＡＭ上に動作に必要なワークエリアを形成しながら、ＩＣタグ全体の動作の制御を行うものである。ＩＣタグは一度情報を書き込んだら二度と変更できないリードオンリーのものと、後から書き換えが可能なものや、追記のみ可能なもの（追記型）がある。また、ＩＣタグリーダライタ手段２８を内蔵してもよい。
【００２５】
無線Ｉ／Ｆ手段２９は、無線を使用してデータの送受信を行うものであり、無線ＵＳＢ、ブルートゥース、赤外線、無線ＬＡＮなどの通信を行う。この無線Ｉ／Ｆ手段２９及び／又は前述した外部Ｉ／Ｆ手段２４を使用して、例えば、ＰＣ等が記憶している地図データ、音楽データ（楽曲データ）、その他の大容量のデータを、通信装置の記憶手段（例えば、画像（フレーム）メモリ２０、又は、画像（フレーム）メモ
ラジオ放送受信手段３０は、ラジオ放送局から送信されるラジオ放送用電波信号を受信し、受信した電波信号を音声データに変換する。音声データに変換されたデジタル音声は、通話回路でアナログ音声に変換され、スピーカ（又はイヤホン）１５３から出力するものである。なお、音声データに変換されたデジタル音声は、ＲＡＭ１３に記憶することができる。
【００２６】
また、言うまでもないが、図１の構成はすべて備えている必要はなく、必要な構成を最低限備えていればよいものである。
（オールＩＰ化された携帯電話機のブロック図）
図２はオールＩＰ（インターネットプロトコル）化された携帯電話機のブロック図である。図２の携帯電話機は、基地局用無線Ｉ／Ｆ手段３１、ＬＡＮ用無線Ｉ／Ｆ手段３２、ＩＰ手段３３、通話回路３４１、マイク３４２、スピーカ３４３、ＧＰＳ手段３５、操作入力・表示部３６、ＣＰＵ３７、ＲＯＭ３８及びＲＡＭ３９から構成されている。
【００２７】
図２の携帯電話機において、基地局用無線Ｉ／Ｆ手段３１は携帯電話機と基地局との間で無線交信を行うＩ／Ｆである。また、ＬＡＮ用無線Ｉ／Ｆ手段３２は、携帯電話機とＬＡＮ用無線基地局との間で無線交信を行うＩ／Ｆである。従来では、基地局用無線Ｉ／Ｆ手段は、専用のプロトコルが使用されていたが、基地局側とそれを利用する通信装置の間にインターネット網やＩＰ網を利用するケースが増えている。さらに、ＬＡＮ用のプロトコルはもともとＩＰによって、通信が行われていることから、基地局用無線Ｉ／Ｆ手段をＩＰ化することにより、部品の共通化が図れ、コストダウンが見込める。そこで本実施例のように、基地局用無線Ｉ／Ｆ手段３１とＬＡＮ用無線Ｉ／Ｆ手段３２では、ＩＰを使用する。
【００２８】
ＩＰ手段３３は、音声に使用するＶＯＩＰ手段と、データ通信に使用するデータ用ＩＰ手段の２種類がある。
【００２９】
音声に使用するＶＯＩＰ手段は通話回路から送られてきたアナログの音声信号をデジタルデータに変換し、さらに必要であれば符号化圧縮する。次に、音声信号データを送信用のＩＰパケットに埋め込み、順次、基地局用無線Ｉ／Ｆ手段３１又はＬＡＮ用無線Ｉ／Ｆ手段３２に送り出す。また基地局用無線Ｉ／Ｆ手段３１又はＬＡＮ用無線Ｉ／Ｆ手段３２から入力される受信用のＩＰパケットから音声信号データを取り出し、必要であれば復号伸張し、さらにデジタルの音声信号データをアナログの音声信号に変換し、通話回路に送出する。
【００３０】
データ通信に使用するデータ用ＩＰ手段の場合は、ＶＯＩＰ手段の通話回路の代わりに、例えばメモリ手段と入出力を行ってもよいし、専用のデータ処理手段を備えてもよい。また、ＩＰ手段３３は呼制御を行うための制御用ＩＰパケットを組立て、順次、基地局用無線Ｉ／Ｆ手段３１又はＬＡＮ用無線Ｉ／Ｆ手段３２に送り出す。さらに、基地局用無線Ｉ／Ｆ手段３１又はＬＡＮ用無線Ｉ／Ｆ手段３３から入力される受信した制御用ＩＰパケットを、解析するために分解する。このような制御用ＩＰパケットの送出、受信はＩＰ手段３３とは独立した別の手段で行うようにしてもよい。ＩＰ手段３３の動作制御はＣＰＵ３７で行ってもよいし、専用のＬＳＩを使用してもよい。
【００３１】
通話回路３４１、マイク３４２、スピーカ３４３、ＧＰＳ手段３５、操作入力・表示部３６、ＣＰＵ３７、ＲＯＭ３８及びＲＡＭ３９は、図１に準じて理解されるので、説明を省略する。
（一般のＩＰ電話機のブロック図）
図３は一般のＩＰ電話機のブロック図である。図３の携帯電話機は、ＩＰ手段４１、回線接続Ｉ／Ｆ手段４２、ＩＣタグ手段４４、通話回路４３１、マイク４３２、スピーカ４３３、ＧＰＳ手段４５、操作入力・表示部４６、ＣＰＵ４７、ＲＯＭ４８、ＲＡＭ４９から構成されている。
【００３２】
図３におけるブロックの各要素は、図２及び図３で説明したので、図３の説明は省略する。
（ＩＰ）
図４、図５に携帯電話で使用する通信プロトコルの一実施例を示す。まず、図４を用いて、発呼側端末と基地局間における発信接続と切断シーケンスについて説明する。発呼側端末はオフフック及びダイアルの後に、基地局へ呼設定信号（ＳＥＴＵＰ）、発信無線状態報告信号を送信し（Ｓ１）、基地局側から呼設定受付信号（ＣＡＬＬ  ＰＲＯＣ）を受信する（Ｓ２）。基地局は認証手順（Ｓ３）を行った後、無線チャネル指定信号を送信する（Ｓ４）。発呼側端末は指定されたチャネルを捕捉し、無線回線の設定を行う。次に基地局から呼出信号（ＡＬＥＲＴ）を受信し（Ｓ５）、呼出音（ＲＢＴ）を受話器に送出する。着信側の通信端末装置の応答があると、基地局から発呼側端末へ応答信号（ＣＯＮＮ）が送信され（Ｓ６）、ここから課金が開始されるとともに、通話が始まる（Ｓ７）。通話が終了すると、発呼側端末から切断信号（ＤＩＳＣ）が基地局へ送信される（Ｓ８）。基地局は解放信号（ＲＥＬ）を発信側の通信端末装置へ送信し（Ｓ９）、ここで課金が終了する。発呼側端末は基地局へ解放完了信号（ＲＥＬ  ＣＯＭＰ）を送信し（Ｓ１０）、基地局から無線チャネル切断信号を受信する（Ｓ１１）。最後に、発呼側端末は、無線チャネル切断確認信号を送信して（Ｓ１２）、通信に使用した無線チャネルを開放し、無線回線の切断を行う。
【００３３】
次に、図５を用いて、着呼側端末と基地局間における発信接続と切断シーケンスについて説明する。着呼側端末は、基地局からの呼出信号を受信すると（Ｓ２１）、着信無線状態報告信号を基地局へ送信する（Ｓ２２）。基地局では、着信無線状態報告信号受信して、認証手順を行う（Ｓ２３）。基地局は認証を行った後、無線チャネル指定信号を着信側の通信端末装置へ送信し、無線回線の設定を行う（Ｓ２４）。無線回線の設定後、基地局から着呼側端末へ、呼設定信号（ＳＥＴＵＰ）が送信され（Ｓ２５）、着呼側端末は着信音（ＲＧＴ）を生成した後、基地局へ呼出信号（ＡＬＥＲＴ）を送信する（Ｓ２６）。着呼側端末のオフフックにより応答信号（ＣＯＮＮ）が基地局へ送信され（Ｓ２７）、通信（通話）が開始され（Ｓ２９）、課金が始まる。切断シーケンスは、図４における発呼側からの切断とほぼ同じなので、説明を省略する。
【００３４】
図６（Ａ）及び（Ｂ）に携帯電話機のデータ通信のプロトコルの一実施例を示す。まず、端末側がサーバ手段からデータを取得する場合に使用するＰｕｌｌ型シーケンスについて図６（Ａ）を用いて説明する。
【００３５】
最初に端末側は基地局に対して通信登録要求信号を送出する（Ｓ４１）。基地局側は認証を要求するために通信認証要求信号を端末側へ送信する（Ｓ４２）。端末側は、通信認証応答信号を基地局へ送信し（Ｓ４３）、基地局側は認証が成立すれば、通信登録応答信号を端末側へ送信する（Ｓ４４）。端末側は、回線接続を要求するために、仮想回線接続要求信号を基地局側へ送信し（Ｓ４５）、基地局は、仮想回線接続応答信号を端末側へ送信することにより、通信回線が仮想的に確保される（Ｓ４６）。次に、端末側はＨＴＴＰプロトコルを使用して、データを要求するＧｅｔ信号を基地局側へ送信する（Ｓ４７）。基地局側は、その応答信号として、Ａｃｋ信号を端末側へ送信する（Ｓ４８）。基地局は要求されたデータを含むＲｅｓｐｏｎｓｅ信号を端末側へ送信する（Ｓ４９）。端末側はＲｅｓｐｏｎｓｅ信号の応答信号としてＡｃｋ信号を基地局側へ送信する（Ｓ５０）。以下、必要なだけデータ取得が行われる。
【００３６】
次に、図６（Ｂ）を用いて、基地局側から通信端末装置へ着信通知して情報を送信（メール受信など）するＰｕｓｈ型シーケンスについて説明する。
【００３７】
まず、基地局から端末側へ呼び出し信号を送信する（Ｓ５１）。次に、端末側は基地局に対して通信登録要求信号を送出する（Ｓ５２）。基地局側は認証を要求するために通信認証要求信号を端末側へ送信する（Ｓ５３）。端末側は、通信認証応答信号を基地局へ送信し（Ｓ５４）、基地局側は認証が成立すれば、通信登録応答信号を端末側へ送信する（Ｓ５５）。基地局は、回線接続を要求するために、仮想回線接続要求信号を端末側へ送信し（Ｓ５６）、端末側は、仮想回線接続応答信号を基地局側へ送信することにより、通信回線が仮想的に確保される（Ｓ５７）。基地局は着信通知信号を端末側へ送信し（Ｓ５８）、端末側はその応答として、Ａｃｋ信号を基地局側へ送信する（Ｓ５９）。端末側はデータを要求するために、Ｇｅｔ信号を基地局側へ送信する（Ｓ６０）。基地局側はその応答信号として、Ａｃｋ信号を端末側へ送信する（Ｓ６１）。基地局は要求されたデータを含むＲｅｓｐｏｎｓｅ信号を端末側へ送信する（Ｓ６２）。端末側はＲｅｓｐｏｎｓｅ信号の応答信号としてＡｃｋ信号を基地局側へ送信する（Ｓ６３）。以下必要なだけデータ取得が行われる。
【００３８】
なお、前述したプロトコルシーケンス中において、通信装置又は相手装置の端末識別情報（電話番号、端末番号、ＩＤ番号、機番、移動機番号、メールアドレス、ＵＲＬ、ＵＲＩ等）やサービス識別情報（電話番号、メールアドレス、ＵＲＬ、通話、電子メール、インターネットアクセス、データダウンロード等）を含ませて、情報の授受を行うことができる。さらに、通信装置又は相手装置の端末識別情報やサービス識別情報を、それぞれについて複数持ち（通信装置の記憶手段に記憶する）、それらを選択して使用することにより、特定のサービスを特定の端末識別情報で使用することや、選択した端末識別情報に課金するなどの多彩なサービスを享受することができる。
（ＳＩＰ）
図７に標準の呼制御プロトコルのうちの１つであるＳＩＰ（Session Initiation Protocol）の通信モデルのプロトコルを示す。まず、発呼側から「ＩＮＶＩＴＥ」というリクエストメッセージを送出する（Ｓ７１）。「ＩＮＶＩＴＥ」はセッションの起動信号であり、それには発呼側が受信可能なセッションの属性がＳＤＰ（Session  DescrＩＰtion  Protocol）で示されている。具体的には、発呼側の受信条件（コーデック、ポート番号等）と送信条件を提示するものである。着呼側は「ＩＮＶＩＴＥ」を受信し、呼び出し状態になったことを通知するために「１８０  ＲＩＮＧＩＮＧ」を発呼側へ送信する（Ｓ７２）。この「１８０  ＲＩＮＧＩＮＧ」で着呼側の受信条件（コーデック、ポート番号等）と送信条件を提示してもよいが、通常は次の「２００  ＯＫ」で提示する。次に着呼側が通話可能状態になったことを通知するために「２００  ＯＫ」を発呼側へ送信する（Ｓ７３）。それには着呼側が受信可能なセッションの属性がＳＤＰで示されている。この「２００  ＯＫ」で着呼側の受信条件（コーデック、ポート番号等）と送信条件を提示する。次に、発呼側が「ＡＣＫ」を着呼側へ送信し（Ｓ７４）、これにより通信に利用可能な属性がネゴシエーションされる。本発明では便宜上ここまでを接続フェーズと定義している。次に、メディア（音声、画像、動画等）の転送が開始される（Ｓ７５）。本発明ではこのメディアの転送期間中を便宜上、データ送受信フェーズと定義している。通信を終了するときには止める側が「ＢＹＥ」信号を送信する（Ｓ７６）ことにより通信終了を要求し、それを受信した側は、その応答である「２００  ＯＫ」信号を送信して通信を終了する（Ｓ７７）。本発明ではこのフェーズを便宜上、切断フェーズと定義している。
（基本構成例）
本発明の基本構成例を図８に示す。図８は、通信機能と放送信号を受信する放送信信号受信機能とを有する携帯電話機において、ＴＶ放送を受信しているとき、この携帯電話機に着信があった場合に、ＴＶ放送を視聴することができなくなるので、受信しているＴＶ放送を録画するようにした携帯電話機の例である。
【００３９】
図８の携帯電話機は、ＴＶ放送受信手段５１、着信検出手段５２、メタデータ等を記憶するメモリ５３、通信手段５４、放送内容記憶制御手段５５、入力手段５６、表示手段５７、画像メモリ５８、画像メモリ制御５９、位置情報検出手段６０、メッセージメモリ６１、メッセージメモリ制御６２、予約設定手段６３、再生手段６４及び通話部６５から構成されている。メタデータ等を記憶するメモリ５３、画像メモリ５８及びメッセージメモリ６１は、一つのメモリを区分して、使用するようにしてもよいし、機能別に、更に、別々のメモリに細分化してもよい。
【００４０】
ＴＶ放送受信手段５１は、ＴＶ用アンテナ、検波部、チューナ部等から構成され、ＴＶ放送を受信する手段であり、図１のＴＶ受信手段２２に対応する。着信検出手段５２は、本携帯電話機への着信を検出する。着信の検出は、基地局側から送出された呼出信号（当該携帯電話を呼び出す信号）又は着信信号（当該携帯電話に対して着信が有った旨の信号）を検出して行う。なお、本発明は、ＴＶ放送を受信しているときに、通話を開始すると、ＴＶ放送を視聴できないという問題に対するものであるので、本発明における「着信の検出」は、通話を開始するに至る状態を事前に検出するものであり、広い意味を有している。メタデータ等を記憶するメモリ５３は、画像メモリ５８及びメッセージメモリ６１に記憶する画像及びメッセージ以外の情報を記憶する。例えば、放送に関するメタデータ（番組名、放送時刻、放送チャンネル、キーワード、出演者名、放送局名などの番組の内容に関する情報）、番組表の情報、通話履歴、現在の位置情報等を記憶する。通信手段５４は、音声及びデータを有線又は無線により通信する手段であり、図１の無線通信手段１６及び無線Ｉ／Ｆ手段２９に対応する。放送内容記憶制御手段５５は、ＴＶ放送受信手段５１が放送を受信しているときに、着信検出手段５２が着信を検出した場合、画像メモリ制御手段５９を制御して、放送手段５１が受信している放送を、画像メモリ５８に記憶するように制御する。入力手段５６は、テンキー、ファンクションキーであって、データを入力する手段である。また、入力手段５６は、可搬型のメモリから一括して、データを入力するものであってもよい。表示手段５７は、文字、画像等を表示する手段であり、ＴＶ放送、メニュー、メッセージ、アイコン、メール等を表示する。画像メモリ５８は、ＴＶ放送受信手段５１が受信した放送内容を記憶する手段であり、本体内蔵のメモリ又はハードディスク、外付けのＩＣカードメモリ又はハードディスク等である。画像メモリ制御５９は、放送内容記憶制御手段５５の制御に基づいて、画像メモリ５８を制御して、放送内容の書き込み及び読出しを行う。位置情報検出手段６０は、ＧＰＳの出力、移動ネットワークの基地局からのデータ等によって、位置を検出する手段である。メッセージメモリは、表示手段５７で表示するメッセージを記憶している手段である。メッセージメモリ制御６２は、放送内容記憶制御手段５５の制御に基づいて、メッセージメモリ６１を制御して、メッセージの書き込み及び読出しを行う。予約設定手段６３は、タイマーを有し、ＴＶ放送の放送及び／又は録画の予約を行う手段である。予約設定手段６３は、ＴＶ放送のある番組を視聴するために、放送番組が開始される時刻を設定（他にはＧコードを設定したり、番組表から番組を選択することにより視聴を予約する）することにより、その時刻になったらＴＶ放送の受信を開始し、受信しているＴＶ放送の番組を表示手段に表示する機能を有する。なお、予約設定手段６３は、録画を予約することもできる。
【００４１】
再生手段６４は、放送内容記憶制御手段５５の制御に基づいて、画像メモリ５８から、放送内容読出して再生して、表示手段５７に放送内容を表示する。
【００４２】
音声の通信は、通話部６５と通信手段５４とを用いて行われる。一方、放送内容記憶制御手段５５の制御に基づいて、ＴＶ放送の内容が、画像メモリ５８に録画され、また、画像メモリ５８に録画された放送内容は、再生手段により再生されて、表示手段５７で表示される。
【００４３】
なお、上述したように、放送内容記憶制御手段５５は、ＴＶ放送受信手段５１が放送を受信しているときに、着信検出手段５２が着信を検出した場合、画像メモリ制御手段５９を制御して、放送手段５１が受信している放送を、画像メモリ５８に記憶するように制御する。
【００４４】
また、着信検出手段５２が本携帯電話機への着信を検出した場合に、直ちに、放送内容を画像メモリ５８に記憶するのではなく、放送内容記憶制御手段５５は、メッセージメモリ制御６２を制御して、「受信している放送を記憶するか否かを示すメッセージ」を表示し、入力手段５６により、放送を記憶するとの入力を得た場合に、通話中、放送内容を画像メモリ５８に記憶する。
【００４５】
また、画像メモリ５８に受信した放送内容を記憶した後に、「記憶した放送内容を保存するか否かを示すメッセージ」を表示し、放送を消去するとの入力を得た場合に、記憶した放送内容を画像メモリ５８から消去する。
【００４６】
図９は、ＴＶ放送を受信しているとき、ＴＶ放送の受信を中断すべき状態を検出した場合に、ＴＶ放送録画するようにした携帯電話機の例である。
【００４７】
図８の着信検出手段５２に代えて、中断検出手段７２が設けられている。中断検出手段７２は、ＴＶ放送の受信を中断すべき状態を検出する手段である。例えば、電話の発信やメールの送信する場合、メールを受信した場合、インターネットへ接続する場合、インターネット経由でファイルデータを受信した場合は、ＴＶ放送の視聴を中断する必要があるので、その様な場合に、中断検出手段７２は、放送内容記憶制御手段５５に中断信号を出力する。放送内容記憶制御手段５５は、ＴＶ放送受信手段５１が放送を受信しているときに、中断検出手段７２から中断信号を受信した場合に、メモリ制御手段５９を制御して、ＴＶ放送受信手段が受信している放送を記憶するように制御する。
【００４８】
また、図８及び図９が、放送がＴＶ放送であったのに対し、図１０及び図１１では、放送がラジオ放送の場合である。したがって、図１０及び図１１は、図８及び図９に準じて、理解できるので、その説明は省略する。
（ＴＶ放送受信中に通話を開始した場合の処理）
携帯電話にある機能を搭載した場合に、携帯電話の固有の事情により、その搭載した機能が使用しづらい場合や、その機能を使用するのに、ある不具合が生じるという問題ある。例えば、携帯電話にＴＶ受信機能を搭載した場合、ＴＶを視聴している時に電話がかかってきた場合に電話に出ると、通話している時はその番組を見ることができないという、ＴＶ受信機能付き携帯電話に固有の不具合が生じる。そこで、その課題を解決する例を説明する。
携帯電話に搭載されたＴＶ放送受信手段を使用して、ＴＶ放送を受信し、受信している放送信号（放送データ）を映像（放送番組の映像）データに変換すると共に、変換したデータを表示手段に表示する。このときユーザがある放送番組を視聴しているときに、相手装置から電話がかかってきた場合に、自動的にＴＶ放送の録画を開始するものである。
【００４９】
録画開始のトリガーとしては、基地局側から送出された呼出信号（当該携帯電話を呼び出す信号）又は着信信号（当該携帯電話に対して着信が有った旨の信号）を使用し、その信号を検出したときＴＶ放送の録画を開始する。又は呼出信号受信中（又は呼出信号の受信期間）に応答動作（オフフックボタン、応答ボタンが押されたとき）がなされたときにＴＶ放送の録画を開始してもよい。また、電話がかかってきたときに、ＴＶ放送を録画するかどうかのメッセージを表示してもよい。このとき、肯定の入力があれば録画を開始し、否定の入力があれば録画を開始しない。録画が終了した後、録画したデータをメモリの保存するかどうかのメッセージを表示してもよい。このとき、肯定であれば録画したデータをメモリに保存し、否定であれば録画したデータを消去するものである。
【００５０】
このように、ＴＶ放送受信中に通話を開始した場合について、図１２のフローを用いて説明する。
【００５１】
先ず、ＴＶ放送受信手段５１がＴＶ放送の受信を開始する（Ｓ８１）、着信検出手段５２が、ＴＶ放送受信中に着信を検出する（Ｓ８２）。なお、ここでは、着信の検出として、上述した「呼出信号（の受信）」、「着信信号（の受信）」又は「応答動作（の検出）」がなされた状態を着信の検出として扱う。
【００５２】
次いで、通話が開始される（Ｓ８３）と、ほぼ、同時に、放送内容記憶制御手段５５は、画像メモリ５８に、ＴＶ放送の録画を開始する（Ｓ８５）。通話が終了する（Ｓ８４）と、ほぼ同時に、放送内容記憶制御手段５５は、ＴＶ放送の録画も終了する（Ｓ８６）。録画を終了したときに、放送内容記憶制御手段５５は、録画したデータを「メモリに保存するかどうかのメッセージ」を、メッセージメモリ６１から呼び出して、表示手段５７に表示し、録画の必要が無ければ、記憶を消去し、録画の必要が有ればそのままにする（Ｓ８７）。
【００５３】
これらの手順後に、着信の前の状態に戻り、ＴＶ放送受信手段５１が受信した放送を、表示手段５７で表示する（Ｓ８８）。
【００５４】
なお、上記説明では、録画を終了したときに、録画したデータを「メモリに保存するかどうかを聞くメッセージ」を表示した場合について説明したが、録画する前に「録画するか否かを聞くメッセージ」を表示し、録画の必要が無ければ、録画しないようにすることができる。
【００５５】
また、通話の終了は、通話終了ボタンの操作の検出、基地局から送信される通話終了信号の検出によって判断する。
（ＴＶ放送受信中に、メール等により受信を中断する必要が生じた場合の処理）
携帯電話に搭載されたＴＶ放送受信手段を使用して、ＴＶ放送を受信しているときに、例えば、電話の発信やメールの送信、メールを受信したときや、インターネットへの接続、インターネット経由でファイルデータを受信したときのように、ＴＶ放送の視聴を中断する必要がある場合に、自動的に録画を開始する。
【００５６】
このように、ＴＶ放送受信中に受信を中断する必要が生じた場合について、図１３のフローを用いて説明する。
【００５７】
先ず、ＴＶ放送受信手段５１がＴＶ放送の受信を開始する（Ｓ９１）、その後、中断検出手段５２が、中断信号を出力する（Ｓ９２）。
【００５８】
そこで、放送内容記憶制御手段５５はＴＶ放送の表示を中止して、中断を開始する（Ｓ９３）と、ほぼ、同時に、放送内容記憶制御手段５５は、画像メモリ５８に、ＴＶ放送の録画を開始する（Ｓ９５）。通話が終了すると中断処理を終了し（Ｓ９４）、ほぼ同時に、放送内容記憶制御手段５５は、ＴＶ放送の録画も終了する（Ｓ９６）。録画を終了したときに、放送内容記憶制御手段５５は、録画したデータを「メモリに保存するかどうかのメッセージ」を、メッセージメモリ６１から呼び出して、表示手段５７に表示し、録画の必要が無ければ、記憶を消去し、録画の必要が有ればそのままにする（Ｓ９７）。
【００５９】
これらの手順後に、中断の前の状態に戻り、ＴＶ放送受信手段５１が受信した放送を、表示手段５７で表示する（Ｓ９８）。
【００６０】
なお、上記説明では、録画を終了したときに、録画したデータを「メモリに保存するかどうかを聞くメッセージ」を表示した場合について説明したが、録画する前に「録画するか否かを聞くメッセージ」を表示し、録画の必要が無ければ、録画しないようにすることができる。
【００６１】
なお、中断は、メールを受信する場合であれば、メールの受信状態を、表示手段５７の表示するときから、開始され、受信メールを確認して、メールの画面を終了したときに、終了する。
【００６２】
また、通話の終了は、通話終了ボタンの操作の検出、基地局から送信される通話終了信号の検出によって判断する。
（画像データの消去処理）
ＴＶ放送を録画した映像データ（映像情報）は、画像メモリ５８に保存されるが、メモリ容量には限りがあるので、そのまま何度も保存を続けるとメモリ容量が不足して、それ以上保存できなくなるという問題が考えられる。
【００６３】
そこで、映像データを保存してから所定の時間が経過したときに、消去を促すメッセージを表示手段５７に表示し、肯定された場合にその映像データをメモリから消去するようにしてもよい。なお、所定の時間は任意の時間を設定できる。
【００６４】
この処理を、図１４のフローを用いて説明する。
【００６５】
先ず、画像データが画像メモリ５８に記憶される（Ｓ１０１）。画像データが画像メモリ５８に記憶されてから、所定期間（例えば、１日、１週間等）経過後（Ｓ１０２のＹ）、「画像データを消去するか否かのメッセージ」を、メッセージメモリ６１から呼び出して、表示手段５７に表示し、消去する場合（Ｓ１０３のＹ）は、画像メモリ５８に記憶されている画像データを消去し（Ｓ１０４）、消去しない場合（Ｓ１０３のＮ）は、終了する（Ｓ１０５）。
【００６６】
なお、所定期間経過後、上述したように、メッセージを表示せずに、自動的に、消去するようにしてもよい。またメッセージを表示した後（同時でもよい）に該当する映像データを再生してもよいし、映像データの一部の静止画を表示してもよい。
（録画の処理）
放送内容記憶制御手段５５は、図１５に示すように、通話開始に限らず、ＴＶ放送を受信したとき（Ｓ１０７）、又はＴＶ放送を表示したときに自動的に、画像メモリ５８に録画を開始してもよい（Ｓ１０８）。この場合、画像メモリ５８のメモリが多く必要になるという課題がある。そこで、ある一定のメモリ容量を使用して、録画が開始されたらメモリの先頭からデータを記憶し、メモリが一杯になったらまた先頭からデータを上書きする、いわゆるエンドレスで録画する。又は録画データは映像データによりそのデータ量が相異するので、例えば５分間などのように、ある一定の時間をエンドレスで録画する場合には、前述したメモリ容量はある程度可変で使用することになる。また、２つのメモリ領域を使用してトグルに録画するようにしてもよい。
【００６７】
また、タイマーを有する予約設定手段６３により、ＴＶ放送を受信し映像表示を開始する時刻を設定した場合、設定した時間になってＴＶ放送を受信し表示しても気が付かない場合、例えば、携帯電話を携帯せずに別の所に置いてある等の事情があると、ＴＶ放送を見逃してしまうという問題がある。
【００６８】
そこで、図１６に示すように、予約設定手段６３により、放送及び／又は録画の予約を行う（Ｓ１１１）。予約した時間になった場合には、ユーザに知らせるための受信報知（鳴動手段の鳴動、表示手段にメッセージを表示）による報知を行う（Ｓ１１４）とともに、受信開始したＴＶ放送の映像をメモリ手段に蓄積（録画手段）する（Ｓ１１２、Ｓ１１３）。もちろん蓄積すると同時に、表示手段に映像を表示してもよい。
【００６９】
次に、番組表を用いた録画予約を、図１７を用いて説明する。
【００７０】
ＴＶ放送の番組表データは、通信手段５４を使用して受信する。このとき、位置情報検出手段６０は、ＧＰＳ手段により、現在地の位置データを取得して（Ｓ１２１）、番組表データを管理しているサーバ装置（番組情報管理装置）に送信し（Ｓ１２２）、サーバ装置は、受信した位置データに基づいて、その位置で受信できるＴＶ放送の番組表データを送信する。携帯電話機は、その番組表を受信する（Ｓ１２３）。
【００７１】
なお、位置情報の検出には、ＧＰＳ手段の代わりに基地局を使用した位置情報を使用してもよい。この場合、複数の基地局を使用して携帯電話の正確な位置情報を取得してもよいし、又は、携帯電話が通信可能なエリアに属する基地局の位置情報又はエリアの位置情報を、携帯電話の位置情報として使用してもよい。またこの位置情報は受信チャネルの設定にも使用できる。
【００７２】
次いで、番組表を受信した携帯電話機は、番組表データをタイマー予約（番組表示開始を予約する。）又はタイマー録画用のアプリケーション（アプリケーションとＴＶ放送受信手段は所定のプロトコル（例えばＧコードなど）を使用して交信することができる。）で使用する。アプリケーションが起動されると、番組表を表示手段５７に表示し（Ｓ１２４）、表示された番組表から所定の番組を選択することにより、予約設定手段６３は、タイマー予約又はタイマー録画する放送番組を設定する（Ｓ１２５）。
【００７３】
その後、タイマー予約又はタイマー録画の時刻になれば、アプリケーションからＴＶ放送受信手段５１にコマンドを送信され、ＴＶ放送を受信し表示したり、ＴＶ放送の録画を開始するものである（Ｓ１２６）。
【００７４】
また、メタデータ（番組名、放送時刻、放送チャンネル、キーワード、出演者名、放送局名などの番組の内容に関する情報）をキーワードとして使用し、そのキーワードに合致した放送番組又は放送場面のＴＶ放送を受信して、表示したり録画したりすることができる。
（再生の処理）
また、携帯電話でＴＶ放送をリアルタイムに視聴するだけでなく、ＴＶ放送を録画した録画データ（録画放送映像、録画映像）を再生して視聴する場合もある。一方、携帯電話は画面が小さく、またバッテリーも長時間は持たないという特殊事情により、長時間の録画データの視聴には向かない。そのため、録画した放送において、特に視聴したい放送や見たい番組、場面などを検索することが重要となり、その検索の方法が将来の課題として認識されている。
【００７５】
そこでその課題を解決するための処理を、図１８を用いて説明する。
【００７６】
録画データは、携帯電話のＴＶ放送受信手段５１によって直接ＴＶ放送を受信し（Ｓ１３１）、その映像データを、画像圧縮して（Ｓ１３２）、画像メモリ５８に記憶する（Ｓ１３３）。このとき、放送局が送るＴＶ放送データはすでに圧縮されたデータ（例えばＭＰＥＧ等）である場合には、それをそのまま画像メモリ５８に記憶してもよいし、又は、別の圧縮方式に変換してから画像メモリ５８に記憶してもよい。
【００７７】
さらに、映像データ（番組）の内容情報に関するメタデータ（番組名、放送時刻、放送チャンネル、キーワード、出演者名、放送局名などの番組の内容に関する情報）を通信手段５４を使用して受信（Ｓ１３４）し（データ受信、電子メール等）、メタデータ等を記憶するメモリ５３に記憶しておく（Ｓ１３５）。映像データを再生するときに、このメタデータを使用して検索し（Ｓ１３６）、見たい番組や場面にアクセスして再生する。画像メモリ５８に記憶された映像データは再生手段６４により、再生伸張され、表示手段５７に表示される（Ｓ１３７）。また、あらかじめ放送データが記憶された外付けのＩＣカードメモリやハードディスクから映像データを再生してもよい。また、メタデータはユーザが入力手段を利用して作成してもよい。
（変形例）
また、ＴＶ放送やラジオ放送がデジタル放送になると、それを録画又は録音したデータ（映像データ、音楽データ）をコピーして違法な販売を行うといういわゆる著作権問題が問題となっている。現在ではその対策として一度だけコピーを許し、２回目以降はコピーできないようにコピープロテクトをかけているが、コピーを失敗したときそれ以上コピーできない等、ユーザにとって不便なものになっている。
【００７８】
そこで本発明の一実施例では、著作権がからんでいる映像をコピーするときには、映像データの画質（例えば解像度を低くする）をオリジナルよりも低くして（落として）コピーするものである。画質を落とす限り何度でもコピーできるようにしてもよい。また、従来技術と組み合わせてもよい。すなわちオリジナルとまったく同じ画質でコピーするのは所定回数のみで、コピー画質を低くすれば何度でもコピーできるようにするものである。また、音楽データの場合は、音楽データの音質（例えばビットレートを低くする）を低くして（落として）コピーするものである。
【００７９】
また、録画したＴＶ放送中のＣＭをスキップするＣＭスキップ機能があるが、逆にＣＭのみを見たいという要望が将来あるかもしれない。
【００８０】
そこで、録画したＴＶ放送中の番組のみをスキップする番組スキップ手段（ＣＭ再生手段）を備える。具体的には、ＣＭスキップ機能で使用される技術を若干変更して使用するものであり、ＴＶ放送の信号の中に含まれているＣＭを示す信号（ＣＭ信号）を検出し、ＣＭ信号が含まれている放送のみを連続して再生するものである。又はＴＶ放送の中に含まれている番組を示す信号（番組信号）を検出し、番組信号を含まないＴＶ放送を再生してもよい。
【００８１】
また、前述した機能の動作を決定する設定（例えばＴＶ放送を受信中に電話がかかってきた場合、自動的に録画を開始するかしないかの設定があるが、これに限定する必要はなく装置の全て設定に適用できる）は、装置が多機能になればなるほど多くの設定があり、あまり多くなるとユーザは現在の装置の設定がどのような設定になっているか把握できなる。又は誤操作などで装置の設定が望んでいる設定と異なってしまい、装置が思いがけない動作をしてしまう等の課題がある。
【００８２】
そこで、所定の操作（設定状態の登録操作）を行うと、現在の装置の設定状態のデータ（機能設定データ）を１つのファイルデータ（機能設定データファイル）としてメモリに保存するようにする。その後、装置の設定状態がユーザによって変更されると、装置の設定状態は変更されるが、メモリに登録した機能設定データファイルは変更されない。次に、所定の操作（設定状態の復活）が行われると、機能設定データファイルに保存されていた装置の設定状態に基づいて、装置の設定状態を変更する。また機能設定データファイルを複数もつようにしてもよい。このとき、ファイルには区別するためのファイル名を登録できるようにし、また設定状態の復活の場合には、このファイル名を表示装置に表示し、ファイルを選択することによって復活させるファイルを選択する。このようにすると、簡単な操作によって、確実に動作していた装置の状態に戻すことができる。
【００８３】
この機能設定データファイルは、例えば、図１のＲＡＭ１３に記憶される。
（省エネ）
また、従来の携帯電話では、省エネのために、操作入力が所定時間なかった場合に、表示画面又はバックライトを消すことを行っていたが、ＴＶ画面を表示している場合にも表示画面又はバックライトが消えると不具合である。そこで、省エネ制御手段は、ＴＶ画面を表示している場合には、すなわちＴＶ受信機として使用している場合には、表示画面又はバックライトを消さないようにするか、又は第１の所定時間（たとえば、２０分、３０分、・・・等）の間に操作入力がない場合に表示画面又はバックライトを消し、ＴＶ受信機として使用していない場合には、第２の所定時間（たとえば、１分，２分，・・・等）の操作入力がない場合に、表示画面又はバックライトを消すように制御する。通常第１の所定時間を第２の所定時間よりも長く設定しておく。またバックライトの光量の強さを段階的に変化させる光量設定手段を備え、操作入力がない時間の長さに応じて段階的に光量を弱くすることも考えられる。また操作入力がない時間の長さに応じて、表示画面の表示領域を段階的に小さくすることにより、画面の表示に必要な消費電力を少なくすることも考えられる。省エネ制御手段は、図１におけるＣＰＵ１１、ＲＯＭ１２、ＲＡＭ１３、時計（図示せず。）又はカウンター（図示せず。）、表示ＯＦＦ回路（図示せず。）又はバックライトＯＦＦ回路（図示せず。）より構成される。これにより、ＴＶ受信機として使用している場合に省エネモードに移行するのを防ぐことができる。
【００８４】
また、ここまでは、ＴＶ受信の場合を説明したが、ムービー画像、ビデオ画像のような動画像を再生する場合等のように、比較的長時間の表示が必要な場合に、前述した省エネ制御手段を適用できる。
【００８５】
また、表示画面のバックライトを消す省エネモードが有効になっている場合の不具合として、通常はその設定された時間（例えば１分）で十分であるが、場合によってはもっと表示画面を見たいという場合もある。従来では何かキー操作を行うことによりバックライトをオンにしていたが、それが度重なると煩わしいし、そのダミーのキー操作がたまたま操作に有効である場合に、思いがけない操作を実行してしまうという課題があった。
【００８６】
それを解決する１つの実施例として、バックライト継続スイッチを設ける。少なくともこのスイッチが押さえ続けられている間は、バックライトを点灯し続ける。またバックライト継続スイッチは専用のスイッチである必要はなく、他のキーと兼用してもよいし、複数のキーと兼用してもよい。またこのバックライト継続スイッチの押し下げによってバックライトの点灯を開始するようにしてもよい。
【００８７】
また、バックライトの種類として、通常は表示画面のバックライトと操作キーのバックライトがある。前述の動画像の表示の場合のように、入力操作をほとんど行わない場合には、操作キーのバックライトを点灯する必要はない。そこで、前述したＴＶ画面の表示や動画像の表示などのようにほとんど表示を見るための場合には、所定の表示の場合において、第３の所定時間の入力操作がない場合には、操作キーのバックライトを消すようにしてもよい。又は、動画像の表示に限らずすべての場合において、所定の時間の入力操作がない場合に、操作キーのバックライトを消すようしてもよい。また操作キーのバックライトを消すための所定時間を複数備えていてもよい。このように操作キーのバックライトとの制御と、表示画面のバックライトの制御とを別々にすることにより、より省エネ効果が高まる。
（ＴＶ放送を受信できる機能を搭載した携帯電話機の構造）
最近、ＴＶ放送を受信できる機能を搭載した携帯電話が発売されている。一般に携帯電話の画面は縦長で使用するため、横長のＴＶ画像をそのまま縦長の画面に表示しようとすると表示画面を小さくして表示しなければならない。もともと携帯電話の表示画面は小さいので、さらに表示画面が小さくなると見にくくなるという問題が生じる。
【００８８】
そこで、本発明の一実施例として、携帯電話として使用する場合は縦長で使用して、ＴＶ受信機として使用する場合には横長で使用するように、画面を９０度回転して表示するものである。
【００８９】
また、携帯電話の形態としては折りたたみ式又は回転式の形態が多く使用されており、その場合表示部を開いて、又は回転させて、表示画面を横長に見るためには、テンキー等のボタンが配置されているグリップを左手で握るか、右手で握るかによって、横長の画面が逆さまになるという課題がある。又は、折りたたみ式、回転式に関わらず、ボタンの位置などにより画面の上下を切替えたいという要望も考えられる。また、ＴＶ受信用のアンテナの位置を上下又は左右のどちらかに向けたいという要望もある。また、従来の携帯電話では、省エネのために、操作入力が所定時間なかった場合に、表示画面又はバックライトを消すことを行っていたが、ＴＶ画面を表示している場合にも表示画面又はバックライトが消えると不具合である。
【００９０】
本発明は、このような携帯電話にＴＶ放送受信機能を搭載した場合の不具合を解決するものである。
【００９１】
携帯電話の場合、画像を表示する表示器としては液晶表示器等が使用されるが、携帯電話の画面として使用する場合には、通常は縦長の画面表示で使用する。しかしながらＴＶ画面として使用する場合には、通常ＴＶ画面は横長なので、横長で使用したほうが都合がよい。
【００９２】
そこで、携帯電話として使用する場合は縦長で使用して、ＴＶ受信機として使用する場合には横長で使用するように、画面を９０度回転して表示する。一方、携帯電話の形態としては折りたたみ式又は回転式の形態が多く使用されており、その場合表示部を開いて、又は回転させて、表示画面を横長に見るためには、テンキー等のボタンが配置されているグリップを左手で握るか、右手で握るかによって、横長の画面が逆さまになるという課題がある。又は、折りたたみ式、回転式に関わらず、ボタンの位置などにより画面の上下を切り換えたいという要望も考えられる。また、ＴＶ受信用のアンテナの位置を上下又は左右のどちらかに向けたいという要望もある。そこで、どちらの手で握っても画面が逆さまにならないように、図２０に示すように、横長画面上下切替手段を備える。また、図１９に示すように、縦長画面の上下を切り換えてもよい。
【００９３】
横長画面上下切替手段は、具体的な実施例としては、画像処理手段はフレームメモリ（ビットマップメモリ）２０へ、ＴＶ画像信号を書き込む時に、図２１に示すように、上下逆さまになるように書き込むことにより実現する。通常の場合は、ビットマップメモリの座標の(0.0)から(X.0)へ表示データを書き込む。次に(0.１)から(X.１)へ書き込んでいき、最後に(0.Y)から(X.Y)へ表示データを書き込んで終了する。画像表示手段２１に表示データを表示する時に、同様の順番で表示データを読み出す。上下逆さまに表示する場合には、(X.Y)から(O.Y)へ表示データを書き込む。次に(X.Y-１)から(O.Y-１)へ書き込んでいき、最後に(X.0)から(0.0)へ表示データを書き込んで終了する。画像表示手段２１に表示データを表示するときには、通常の場合と同じ順序で表示データを読み出す。
【００９４】
又は、画像処理回路１９は、フレームメモリ２０からＴＶ画像信号を読み出すときに、読み出す順番を上下逆になるように読み出すことにより実現してもよい。また上下を逆にする画像処理を行う他の公知技術を適用することもできる。画面の上下切替は操作入力部からの上下切替指示によって行うもので、上下切替用の専用のスイッチを設けてもよい。また、そのスイッチが押されるたびに上下の切替を交互に行うように上下切替トグル手段を備えていてもよい。縦長と横長の切替は縦長横長自動切替手段が自動で行う。縦長横長自動切替手段は、携帯電話として使用されている場合には表示画面を縦長で使用し、ＴＶ受信機として使用している場合には横長で使用する。どちらで使用されているかどうかは、ＴＶ受信機として使用することを示す操作入力があったかどうかで判断する。具体的にはＴＶ画像を表示するＴＶモードに切替えるための専用スイッチを設けてもよい。このＴＶ画像表示スイッチが押されると横長画面に横長のＴＶ画像を表示する。また前記専用スイッチを電話として使用する電話モードとＴＶ画像を表示するＴＶモードとを交互に切替えるトグルスイッチ、すなわち電話・ＴＶモード切替トグル手段を備えていてもよい。また他の機能操作するスイッチと兼用してもよい。その場合、スイッチの長押し等で、他の機能の操作と区別する。
【００９５】
また、本装置においてどちらが上になっているか下になっているかを検出する上下検出手段（図示せず。）を備え、画面上下切替手段は、上下検出手段が出力する検出結果に応じて自動的に画面の上下切替を設定することも考えられる。上下検出手段は例えば重力の方向を検出する重力検出手段ことよって実現する。またジャイロ装置や自装置の加速度を検出する加速度センサーも上下検出手段に応用できる。また上下検出する他の公知技術を適用してもよい。
【００９６】
また、ここまではＴＶ放送を受信したＴＶ画像についての実施例を説明したが、他の入力手段、すなわち、メール、インターネットを使用したダウンロード、外部メモリ、外部機器をケーブルで接続して画像を受信、自装置のカメラ等で入力したデジタル画像、すなわち、ＴＶ画像、ビデオ画像、ムービー画像、写真画像等の画像を表示する場合にも適用できる。
【００９７】
このようにすることで、携帯電話を右手又は左手で持った場合でも画面が逆さまになることを防ぐことができる。
【００９８】
上述したように、実施例として携帯電話、ＩＰ電話を挙げたが、通信装置としてはその他にＩＣカード、ＩＣタグリーダ装置、移動無線機、無線ＬＡＮを使用したＩＰ電話、ＩＰ通信端末装置、一般加入者電話機、通信機能付コンピュータ、ＩＰテレビ電話、腕時計、ＰＨＳ、ＰＤＡ等の通信機能を備えた通信装置があり、それぞれの通信装置が使用できる通信プロトコルを使用して実施可能である。ぞれぞれの通信装置の構成は公知であるため、ブロック図による図示は省略するが、本発明の特徴に係る手段は前記実施例と同様に備えているものである。
【００９９】
また、本文中に記載があって、特にブロック図に図示していない「〜手段」は、専用ハードウェアで構成されているか、又はＣＰＵ,ＲＯＭ,ＲＡＭと若干のハードウェアで構成されているものである。
【０１００】
また、上述した実施例及びその構成は本発明の特徴を備えている限り適宜組み合わせ可能であり、１つの実施例の中で直接言及していない他の実施例及び構成も適用可能である。多数の発明が本明細書に記載されているため、そのすべての組み合わせの説明とその効果を記載することは事実上不可能であるが、その組み合わせの具体的な実施と効果については当業者が想定できるものは、本明細書に記載されているものとみなすことができるのは言うまでもないことである。
【０１０１】
また、本発明において複数の要素（構成）を持つ場合には、その要素の数は本実施例に記載している要素の数には限定されるものではない。
【０１０２】
また、実施例中に記述した発明はＪＡＶＡ（登録商標）等のようにＣＰＵ又はＯＳに依存しないプログラム言語で作成してもよい。
【図面の簡単な説明】
【０１０３】
【図１】ＴＶ受信機付き携帯電話のブロック図である。
【図２】オールＩＰ化された携帯電話のブロック図である。
【図３】ＩＰ電話のブロック図である。
【図４】発信接続と切断シーケンスを説明するための図である。
【図５】着信接続と切断シーケンスを説明するための図である。
【図６Ａ】携帯電話のデータ通信（プル型）を説明するための図である。
【図６Ｂ】携帯電話のデータ通信（プッシュ型）を説明するための図である。
【図７】ＳＩＰの通信シーケンスを説明するための図である。
【図８】携帯電話機（その１）である。
【図９】携帯電話機（その２）である。
【図１０】携帯電話機（その３）である。
【図１１】携帯電話機（その４）である。
【図１２】ＴＶ放送受信中に通話を開始した場合の処理フロー図である。
【図１３】ＴＶ放送受信中に、メール等により中断処理した場合の処理フロー図である。
【図１４】画像データの消去処理フロー図である。
【図１５】録画の処理フロー図（その１）である。
【図１６】録画の処理フロー図（その２）である。
【図１７】録画の処理フロー図（その３）である。
【図１８】再生の処理フロー図である。
【図１９】縦長表示の携帯電話機である。
【図２０】横長表示の携帯電話機である。
【図２１】画面上下切替を説明するための図である。
【符号の説明】
【０１０４】
５１    ＴＶ放送受信手段
５２    着信検出手段  
５３    メタデータ等を記憶するメモリ
５４    通信手段
５５    放送内容記憶制御手段
５６    入力手段
５７    表示手段
５８    画像メモリ
５９    画像メモリ制御
６０    位置情報検出手段
６１    メッセージメモリ  
６２    メッセージメモリ制御
６３    予約設定手段
６４    再生手段
６５    通話部
７１    ラジオ放送受信手段
７２    中断検出手段  
【図１】
2007116524.tif 000003
【図２】
2007116524.tif 000004
【図３】
2007116524.tif 000005
【図４】
2007116524.tif 000006
【図５】
2007116524.tif 000007
【図６Ａ】
2007116524.tif 000008
【図６Ｂ】
2007116524.tif 000009
【図７】
2007116524.tif 000010
【図８】
2007116524.tif 000011
【図９】
2007116524.tif 000012
【図１０】
2007116524.tif 000013
【図１１】
2007116524.tif 000014
【図１２】
2007116524.tif 000015
【図１３】
2007116524.tif 000016
【図１４】
2007116524.tif 000017
【図１５】
2007116524.tif 000018
【図１６】
2007116524.tif 000019
【図１７】
2007116524.tif 000020
【図１８】
2007116524.tif 000021
【図１９】
2007116524.tif 000022
【図２０】
2007116524.tif 000023
【図２１】
2007116524.tif 000024